(57)【要約】【課題】弦楽器を高音質で鳴らすことができる弦楽器励振装置および弦楽器励振システムを提供する。【解決手段】弦楽器励振装置１００は、駒２０の上縁部２０ａに沿って湾曲した本体基板１１０と、駒２０の上縁部２０ａに係合する一対の係合板１２０，１３０と、本体基板１１０の下端部１１０ｂと係合板１２０，１３０との少なくとも一方の間に設けられた弾性部材１４０，１５０と、を備える。本体基板１１０の側端面１１０ｅ，１１０ｆには、スピーカ２００Ａ，２００Ｂの振動板（スピーカ振動板；ボイスコイル）の振動を伝える取付板１６０が取り付けられている。【選択図】図３
2019174500.tif 000002
【特許請求の範囲】
【請求項１】
スピーカからの振動を弦楽器に伝えて当該弦楽器を響鳴させる弦楽器励振装置であって、
前記弦楽器の表板に設置される駒の上端面の形状に沿って形成された下端部を有する本体基板と、
前記下端部に取り付けられた一対の係合板と、を備え、
前記本体基板は、長尺方向の一方と他方に前記スピーカの振動板を接続する側端面を有し、
一対の前記係合板は、その少なくとも一方が弾性部材を介して前記下端部に取り付けられるとともに、前記駒の上縁部を挟み込む間隔を空けて設けられ、
前記弾性部材は、一対の前記係合板が互いに近接する方向に応力を付与する
弦楽器励振装置。
【請求項２】
一対の前記係合板は、弦を跨ぐように複数に分割されている請求項１に記載の弦楽器励振装置。
【請求項３】
前記弾性部材は、弦を跨ぐように複数に分割されている請求項１に記載の弦楽器励振装置。
【請求項４】
前記本体基板は、駒の側端の少なくとも半分以上を覆うように前記側端面を形成した
請求項１に記載の弦楽器励振装置。
【請求項５】
前記本体基板は、２つの側端面を有し、
一方の前記側端面に正信号で駆動する前記スピーカの振動板を接続し、
他方の前記側端面に反転信号で駆動する前記スピーカの振動板を接続する
請求項１に記載の弦楽器励振装置。
【請求項６】
前記本体基板は、
長尺方向に側端面を有する第１基板と、前記第１基板と対向し、長尺方向に側端面を有する第２基板と、前記第１基板と前記第２基板とを接合する第２弾性部材と、を備え、
前記第１基板の前記側端面に正信号で駆動する前記スピーカの振動板を接続し、
前記第２基板の前記側端面に反転信号で駆動する前記スピーカの振動板を接続する
請求項１に記載の弦楽器励振装置。
【請求項７】
一対の前記係合板は、前記駒の上縁部を少なくとも一部が面接触となるように挟み込む位置に設けられている請求項１に記載の弦楽器励振装置。
【請求項８】
前記本体基板に取り付けられ、前記駒に係合する支持部材を備え、
前記支持部材は、前記駒の高さ方向に形成したアームと、前記アームの端部に前記駒の底部に係合するフックとを有する請求項１に記載の弦楽器励振装置。
【請求項９】
請求項１ないし請求項８のいずれか一項に記載の弦楽器励振装置と、
前記弦楽器励振装置の前記側端面に取り付けられるスピーカと、
備える弦楽器励振システム。
【発明の詳細な説明】
【技術分野】
【０００１】
本発明は、弦楽器励振装置および弦楽器励振システムに関する。
【背景技術】
【０００２】
一般に、弦楽器は、表板（胴板）と裏板および側板とによって構成された響鳴胴を有し、表板には響穴（サウンドホール）が形成されている。また、弦楽器は、表板に板状のブリッジベース部材が接着剤によって固定されており、ブリッジベース部材上には弦を支持するために弦の長手方向と直交する方向に延在する駒（ブリッジ）が取り付けられている。
そして、各弦は、ブリッジの上部を超えて一端部をブリッジベース部材に取り付けられたブリッジピンに係止されている。この弦のそれぞれは、他端部をヘッド側に設けられている張力調整機構によって張力を与えられることにより、ブリッジの上面に押し付けられ、ブリッジによって有効な位置を規定される。
このような弦楽器を用いて、弦楽器のブリッジを外部から、例えば圧電振動子やスピーカのような振動手段により響鳴させるシステムが提案されている。
【０００３】
特許文献１には、自動バイオリン用増幅器の出力によって振動する圧電振動子と圧電振動子の固定治具と振動伝達体とを備えた圧電振動・伝達ユニットと、駒の振動により発音する自動バイオリンと、スピーカ・ラインに接続したスピーカ用増幅器と、スピーカ用増幅器に接続したダイナミックスピーカとを備えるバイオリンとスピーカによる重畳再生装置が記載されている。
【０００４】
特許文献２には、ブリッジを備えた弦楽器を加振するための装置であって、前記ブリッジに当接するべき作用点部を備えたベース部材と、前記ベース部材に取り付けられた、電気信号を機械振動に変換する振動発生器とを含み、前記ベース部材が、前記弦楽器の少なくとも１本の弦の上面に係合する支点部と、前記作用点部と前記支点部との中間位置で前記少なくとも１本の弦の下面に係合する力点部と、前記支点部および前記力点部の少なくとも一方を、前記作用点部を前記ブリッジに向けて付勢する向きに変位させるための手段とを有することを特徴とする装置が記載されている。
【０００５】
非特許文献１には、球形スピーカを使用し、ストラディバリウスの音響的特徴の解明を行った研究結果が報告されている。例えば、周波数の関数として表した放射指向性の強さのパターンは、ストラディバリウス間で類似していることが明らかになったとされる。ここで、放射指向性の強さとは、音がある特定の一方位に集中するほど高い値を示す空間放射特性の一指標である。また、放射指向性の強さのパターンに関して、中域（１ｋＨｚ前後）と高域（３ｋＨｚ前後）に現れるピークの周波数は、ストラディバリウスと他のバイオリン（オールド、モダン、およびコンテンポラリ）とで異なっていたとされる。
【０００６】
非特許文献２には、各種バイオリンの音階演奏時の放射指向性の強さを算出した放射指向性のパターンが報告されている。放射指向性のパターンのピークとディップ周波数、およびその周波数比に音響的特徴が現れることが考察されたとする。
【先行技術文献】
【特許文献】
【０００７】
【特許文献１】特開２０１１−３５８５１号公報
【特許文献２】ＷＯ２０１４１９９６１３Ａ１号公報
【非特許文献】
【０００８】
【非特許文献１】「オールドバイオリンの音響的特徴の解明」2016 Fiscal Year Research-status Report,牧勝弘等,［online］,［平成３０年２月１日検索］,インターネット 〈 URL : https://kaken.nii.ac.jp/en/report/KAKENHI-PROJECT-16K00255/16K002552016hokoku/〉
【非特許文献２】「バイオリン「ストラディバリウス」の放射指向性」日本音響学会秋季研究発表会講演論文集（2017.9.25-27），牧勝弘等,［online］,［平成３０年２月１日検索］,インターネット 〈 URL : http://www.asj.gr.jp/annualmeeting/pdf/2017autumn_timeschedule.pdf〉
【発明の概要】
【発明が解決しようとする課題】
【０００９】
しかしながら、特許文献１に記載の装置では、バイオリンの胴体の内部に加振機を組み込むもので、バイオリンの製造時に行う必要があり、通常のバイオリンとして扱うことはできない。また、既存のバイオリンを改造して、加振機を組み込むもことも考えられるが、高価なバイオリンにこのような改造を行うことは多くの場合、受け入れられない。
【００１０】
また、特許文献２に記載の加振装置では、支点部および力点部が弦に係合し、作用点部においてブリッジに係合するので、作用点部をブリッジに対して十分に強い力で押し付けることが可能になる。しかしながら、弦楽器から再生される楽音については、一般的なＨｉＦｉスピーカの音質には達していない。
【００１１】
非特許文献１，２の記載のように、ストラディバリウスを含むオールドバイオリンの音響的特徴が研究されているものの、弦楽器を高音質で鳴らすことができる装置は実現されていない。
【００１２】
このような観点から、本発明は、弦楽器を高音質で鳴らすことができる弦楽器励振装置および弦楽器励振システムを提供することを課題とする。
【課題を解決するための手段】
【００１３】
上記課題を解決するために、本発明の弦楽器励振装置は、スピーカからの振動を弦楽器に伝えて当該弦楽器を響鳴させる弦楽器励振装置であって、前記弦楽器の表板に設置される駒の上端面の形状に沿って形成された下端部を有する本体基板と、前記下端部に取り付けられた一対の係合板と、を備え、前記本体基板は、長尺方向の一方と他方に前記スピーカの振動板を接続する側端面を有し、一対の前記係合板は、その少なくとも一方が弾性部材を介して前記下端部に取り付けられるとともに、前記駒の上縁部を挟み込む間隔を空けて設けられ、前記弾性部材は、一対の前記係合板が互いに近接する方向に応力を付与する構成とする。
【発明の効果】
【００１４】
本発明によれば、弦楽器を高音質で鳴らすことができる弦楽器励振装置および弦楽器励振システムを提供することができる。
【図面の簡単な説明】
【００１５】
【図１】本発明の第１の実施形態に係る弦楽器励振装置を取り付けた弦楽器の全体構成を示す斜視図である。
【図２】上記第１の実施形態に係る弦楽器励振装置の構成を示す斜視図である。
【図３】上記第１の実施形態に係る弦楽器励振装置の駒への取付けを説明する斜視図であり、（ａ）はその斜め下方から見た取付け前の斜視図、（ｂ）はその斜め下方から見た取付け後の斜視図である。
【図４】上記第１の実施形態に係る弦楽器励振装置の駒への取付けを説明する断面図であり、（ａ）は図３（ａ）のＡ−Ａ矢視断面図、（ｂ）は図３（ｂ）のＡ−Ａ矢視断面図、（ｃ）は係合板の変形例である。
【図５】図３（ｂ）のＢ−Ｂ矢視断面図である。
【図６】上記第１の実施形態に係る弦楽器励振装置の変形例２の構成を示す図であり、（ａ）はその斜め上方向から見た斜視図、（ｂ）はその正面図である。
【図７】上記第１の実施形態に係る弦楽器励振装置の変形例３の構成を示す斜視図である。
【図８】上記第１の実施形態に係る弦楽器励振装置の変形例４の構成を示す斜視図である。
【図９】第２の実施形態に係る弦楽器励振装置の支持部材の構成を示す斜視図である。
【図１０】上記第２の実施形態に係る弦楽器励振装置を駒に取り付けて支持部材で支持した状態を示す図であり、（ａ）はその正面図を示し、（ｂ）は（ａ）の側面図を示す。
【発明を実施するための形態】
【００１６】
以下、本発明の実施形態について図面を参照して詳細に説明する。なお、各図において共通する部分には同一の符号を付し、重複した説明を省略する。
（第１の実施形態）
本実施形態は、弦楽器として例えばチェロやヴィオラなどに適用することができるが、ここではバイオリンに適用した例として説明する。また、ここではスピーカ２００Ａ，２００Ｂの２つを用いる例として説明するがスピーカは１つであってもよい。
［全体構成］
図１に示すように、弦楽器励振システムＳは、バイオリン１（弦楽器）を高音質で鳴らす弦楽器励振装置１００と、弦楽器励振装置１００を励振するスピーカ２００Ａ，２００Ｂと、を備える。スピーカ２００Ａ，２００Ｂは、音源装置３００から出力される音信号により振動する。音源装置３００は、音信号を再生する音源であり、出力された音信号は、位相反転回路３５０を介してスピーカ２００Ａ，２００Ｂに入力される。位相反転回路３５０は、上記音信号のうち一方の極性の信号を反転させて、スピーカ２００Ａ，２００Ｂの一方に出力する。スピーカ２００Ａ，２００Ｂは、音源装置３００から位相反転回路３５０を介して入力された音信号を再生する。スピーカ２００Ａ，２００Ｂは、弦楽器励振装置１００の側面をプッシュプル（push-pull）で駆動するので、駆動能力が高く、応答性およびダイナミックレンジが広い効果がある。
弦楽器励振装置１００は、スピーカ２００Ａ，２００Ｂの音響振動を、バイオリン１に伝えて当該バイオリン１を響鳴させる。
なお、スピーカ２００Ａ，２００Ｂは、いずか１つの場合は、位相反転回路３５０は、不要である。
【００１７】
バイオリン１は、一般的なものである。また、バイオリン以外の弦楽器にも適用可能である。
バイオリン１は、表板２、裏板３および側板４からなる胴体５と、表板２上からヘッド側に延びる指板６と、胴体５のヘッド側頂部および指板６の背面に固定されたネック７と、を備える。ネック７のヘッド８は、渦巻き９を形成し、糸巻き（ペグ）１０を備える。表板２のテール側には、テールピース１１が固定されテールピース１１にはアジャスタ１２が取り付けられる。表板２には、胴体５内部に開口する一対のｆ字孔１３が形成される。そして、胴体５は、ヘルムホルツ共鳴器を構成している。
【００１８】
表板２の裏面にあるバスバー（図示省略）は、表板２を補強するとともに低音の響きを強め安定させる役割を有する。胴体５内には、魂柱（図示省略）と呼ばれる円柱が立てられており、駒（ブリッジ）２０を通って表板２に達した振動を裏板３に伝える。
弦１５は、正面から見て左が低音、右が高音の弦であり、高音の弦から順にＥ線，Ａ線，Ｄ線，Ｇ線である。４本の弦１５ｅ，１５ａ，１５ｄ，１５ｇは、胴体５に固定されたテールピース１１から駒２０の上を通り、指板６の先にある上駒（ナット）１６に引っ掛けてその先の糸巻き１０に巻き取られる。
【００１９】
駒２０は、４本の弦１５ｅ，１５ａ，１５ｄ，１５ｇを溝２０ｂによって所定の位置に支え、弦１５ｅ，１５ａ，１５ｄ，１５ｇの振動を表板２に伝える。駒２０は、指板６とテールピース１１の間の表板２上に、表板２に対してほぼ垂直となるように設置され、取外し可能である。
駒２０は、弦１５を支持する面とする上端部が上に凸となる緩やかな曲面で形成されている。また、図３に示すように、駒２０は、左右対称ではなく、Ｇ線（音の低い弦１５ｇ）側とＥ線（音の高い弦１５ｅ）側で高さを変えている。高さを左右非対称にすることで、ボウイング（弓遣い）と構えで４本の弦１５ｅ，１５ａ，１５ｄ，１５ｇが扱いやすい位置になるようにしている。
【００２０】
駒２０の上縁部２０ａは、後記する係合板１２０と係合板１３０が当接する領域となるため音感上重要である。以下、上縁部２０ａについて定義する。
本明細書において、駒２０の上縁部２０ａは、駒２０の上端面と駒２０の表裏面とが直交する稜線（角部）と、当該稜線から駒２０の表裏面でそれぞれ下方に所定幅（例えば１〜５ｍｍ）延出した帯状の面部とを合わせた部分をいうものとする。例えば、上記帯状の面部の幅を５ｍｍとした場合、当該稜線から５ｍｍ幅の帯状領域で、かつ、溝２０ｂの部分を除いた部分（図３ハッチング部参照）が駒２０の上縁部２０ａとなる。また、上記帯状の面部の幅は、限定されず、５ｍｍ以上であってもよく、０．１ｍｍ以下であってもよい。０．１ｍｍ以下の場合、駒２０の上縁部２０ａは、事実上、上記稜線と等しくなる。また、上記帯状の面部の幅が５ｍｍ以上の場合、駒２０の上縁部２０ａは、開口部２０ｆ（後記）近傍までの領域となる。
【００２１】
駒２０は、その中央部で厚み方向に渦巻き形状の開口部２０ｆが開口し、さらに開口部２０ｆ下方には側端面に渦巻き形状の一端が連通する開口部２０ｇが左右２箇所に形成される。駒２０は、２つの足部２０ｃ，２０ｃと、足部２０ｃ，２０ｃと開口部２０ｇ，２０ｇの側端面との間に形成された円形窪み部２０ｄ（図３参照）と、足部２０ｃと足部２０ｃとの間の平坦底部２０ｅと、を有する。
【００２２】
バイオリン１に取り付ける駒２０の場合、この駒２０の高さ（足部２０ｃの底面から上端面の最も高い面までの高さ）は約３０ｍｍ、この駒２０の左右幅は約４５ｍｍが一般的である。このような駒２０では、駒２０の上端面の稜線から渦巻き形状の開口部２０ｆの上部までの長さは約６ｍｍとなる。したがって、この駒２０の上縁部２０ａの高さ方向の幅の上限は、上記稜線から５ｍｍ以下とし、その下限は上記稜線までとする。
【００２３】
ここで、係合板１２０と係合板１３０（後記）は、駒２０の上縁部２０ａの少なくとも一部に面接触で当接する。そこで、本実施形態では、上縁部２０ａの高さ方向の幅を、例えば約５ｍｍ以下とすることで、スピーカの振動を駒２０に良好に伝えながら、のびやかな音を実現することができた。また、上縁部２０ａの高さ方向の幅は、開口部２０ｅまで達していないので、駒２０が弦１５の振動を抑制してしまう弱音効果は生じず、十分な音で鳴らすことができた。
【００２４】
また、図４（ａ）（ｂ）に示すように、駒２０は、上縁部２０ａの厚みよりも足部２０ｃの厚みが大きくなるように、駒２０の厚さが徐々に変化している。例えば、一般的なバイオリンの駒２０の場合、駒２０の高さ約３０ｍｍに対して上縁部２０ａの厚みが２ｍｍ、足部２０ｃ（底部）の厚み４．５ｍｍである。
さらに、後記図５に示すように、駒２０は、一方の面が平面であり、対向する他方の面が凸状に形成されている。
駒２０は、一例として楓材が用いられる。楓材は、有効に音を伝達できるよう密度が高く、木の繊維も規則正しく詰まっている。
【００２５】
［弦楽器励振装置構成］
図２および図３は、第１の実施形態に係る弦楽器励振装置１００の構成を示す斜視図である。なお、駒２０は、説明を分かりやすくするため、バイオリン本体から外して図示している。
説明における弦楽器励振装置１００の幅、高さ、厚さは、図２および図３の矢印の幅Ｗ、高さＨ、厚さＤに沿って形成されることとして説明する。
図２および図３に示すように、弦楽器励振装置１００は、駒２０の上縁部２０ａに沿って湾曲した本体基板１１０と、駒２０の上縁部２０ａ（図３ハッチング部参照）に係合する一対の係合板１２０，１３０と、本体基板１１０の下端部１１０ｂと係合板１２０，１３０と間に設けられた弾性部材１４０，１５０と、を備える。
また、本体基板１１０の側端面１１０ｅ，１１０ｆには、スピーカ２００Ａ，２００Ｂの振動板（スピーカ振動板；ボイスコイル）の振動を伝える取付板１６０が取り付けられている。取付板１６０は、弦楽器励振装置１００の必須の構成要素ではなく、省略は可能である。
なお、取付板１６０は、本体基板１１０ではなく、スピーカ２００Ａ，２００Ｂ側に取り付けられるものでもよい。また、取付板１６０は、円柱形状としたが角柱形状であっても構わない。
【００２６】
<本体基板１１０>
本体基板１１０は、断面視して矩形形状で上に凸に湾曲した細長い長方体状部材である。
本体基板１１０は、上に凸に湾曲した上端部１１０ａと、下に凹に湾曲した下端部１１０ｂと、駒２０の上縁部２０ａの表面と平行に形成された表面部１１０ｃおよび裏面部１１０ｄと、駒２０の上縁部２０ａの表面と直交する端部に形成された側端面１１０ｅ，１１０ｆと、を有する。
下端部１１０ｂは、駒２０の上縁部２０ａの曲面の形状に沿って湾曲して形成されている。すなわち、下端部１１０ｂは、駒２０の上端面の形状に沿って延びている。
側端面１１０ｅは、弦１５ｅ側の側端面であり、側端面１１０ｆは、弦１５ｇ側の側端面である。側端面１１０ｅ，１１０ｆは、スピーカ２００Ａ，２００Ｂを取り付ける平らな面に形成されている。なお、本実施形態では、スピーカ２００Ａ，２００Ｂは、取付板１６０を介して側端面１１０ｅ，１１０ｆに取り付けられているが、スピーカ２００Ａ，２００Ｂの振動板を側端面１１０ｅ，１１０ｆに直接取り付けてもよい。
また、本体基板１１０の幅（Ｗ方向）は、駒２０の上縁部２０ａの幅より少し大きく形成することで、駒２０の上縁部２０ａ全体を覆うことができる。
【００２７】
<係合板１２０，１３０>
係合板１２０，１３０は、弾性部材１４０，１５０を介して本体基板１１０の下端部１１０ｂに取り付けられる。
係合板１２０と係合板１３０とは、駒２０の上縁部２０ａを挟み込むことが可能な間隔を空けて対向して配置されている。係合板１２０，１３０は、一対で駒２０の上縁部２０ａを挟み込んで係合する。
係合板１２０，１３０は、弾性部材１４０，１５０に接合する一端が凸に湾曲した形状に形成されるとともに、他端が下に凹に湾曲した形状に形成されている。そして、係合板１２０，１３０は、上記一端が弾性部材１４０，１５０に接合し、その駒２０に対面する係合板面によって両側から挟んで駒２０の上縁部２０ａに係合する。
【００２８】
このように、係合板１２０，１３０は、一端が弾性部材１４０，１５０を介して本体基板１１０の下端部１１０ｂに接合され、上記係合板面の全部または少なくとも一部が駒２０の上縁部２０ａに係合する。
【００２９】
係合板１２０，１３０の厚さは、特に限定されないが、適度な剛性を持つ範囲で駒２０と同等かあるいは駒２０より薄くすることが好ましい。
係合板１２０，１３０は、駒２０の上縁部２０ａの少なくとも一部に面接触で当接する。本実施形態では、係合板１２０，１３０は、駒２０の上縁部２０ａの稜線から３ｍｍ幅の帯状領域において、少なくとも一部が面接触で当接する。
係合板１２０，１３０は、振動を伝えやすい材料、例えば駒２０の材料と同じ材料（例えば楓材）が好適である。なお、係合板１２０，１３０は、振動を伝えやすい材料（軽量かつ適度な密度と剛性がある材料）であれば、他の木材や樹脂等でもよい。
【００３０】
係合板１２０，１３０について詳細に説明する。
係合板１２０は、４本の弦１５ｅ，１５ａ，１５ｄ，１５ｇを跨ぐように配置された５つの係合板１２０ａ，１２０ｂ，１２０ｃ，１２０ｄ，１２０ｅからなる。同様に、係合板１３０は、４本の弦１５ｅ，１５ａ，１５ｄ，１５ｇを跨ぐように配置された５つの係合板１３０ａ，１３０ｂ，１３０ｃ，１３０ｄ，１３０ｅからなる。
係合板１２０ａと１３０ａ、係合板１２０ｂと１３０ｂ、係合板１２０ｃと１３０ｃ、係合板１２０ｄと１３０ｄ、係合板１２０ｅと１３０ｅは、それぞれが対向配置され、それぞれ一対で駒２０の上縁部２０ａを挟み込んで係合する。
【００３１】
係合板１２０ａ，１２０ｂ，１２０ｃ，１２０ｄ，１２０ｅは、上端部が弾性部材１４０ａ，１４０ｂ，１４０ｃ，１４０ｄ，１４０ｅを介して本体基板１１０の下端部１１０ｂに接合されている。また、係合板１３０ａ，１３０ｂ，１３０ｃ，１３０ｄ，１３０ｅは、上端部が弾性部材１５０ａ，１５０ｂ，１５０ｃ，１５０ｄ，１５０ｅを介して本体基板１１０の下端部１１０ｂに接合されている。
【００３２】
係合板１２０ａ，１２０ｂ，１２０ｃ，１２０ｄ，１２０ｅと係合板１３０ａ，１３０ｂ，１３０ｃ，１３０ｄ，１３０ｅは、４本の弦１５ｅ，１５ａ，１５ｄ，１５ｇに接触しないで跨ぐように配置されているので、駒２０に取り付けられたときに、弦１５ｅ，１５ａ，１５ｄ，１５ｇが係合板１２０，１３０に干渉することはない。
【００３３】
<係合板１２０，１３０の駒２０への当接>
係合板１２０，１３０は、駒２０の上縁部２０ａを少なくとも一部が面接触となるように挟み込む構造であればどのような構造でもよい。例えば、係合板１２０，１３０は、駒２０の上縁部２０ａの稜線から３ｍｍ幅の帯状領域（図３ハッチング部参照）全域で面接触する態様が挙げられる。また、面接触は、上記帯状領域には限定されず、接触面の大きさや形状は変形可能である。すなわち、接触面の大きさについて、接触面が極めて小さい面である点接触や線接触であっても接触した部分の合計が所定以上となる面接触を含んでいる。また、接触面の形状について、円形以外の矩形形状や接触面が飛び飛びにならんでいる形状も含まれる。
【００３４】
<弾性部材１４０，１５０>
弾性部材１４０，１５０は、本体基板１１０の下端部１１０ｂと係合板１２０，１３０との少なくとも一方（図面では両方）との間に設けられている。この弾性部材１４０，１５０は、係合板１２０，１３０が駒２０の上縁部２０ａを挟み込むように互いに近接する方向に応力を付与する。
弾性部材１４０，１５０は、例えばシリコンゴム等からなり、可撓性を有する。
弾性部材１４０，１５０は、係合板１２０，１３０の一端の大きさと同等の大きさで同じ厚みになるように形成されている。同じ厚みに形成することで、駒２０の上縁部２０ａが係合板１２０，１３０を越えて弾性部材１４０，１５０に達しても弾性部材１４０，１５０への引っ掛かりを防ぐことができる。
なお、弾性部材１４０，１５０は、弾性変形することで本体基板１１０の下端部１１０ｂの形状に沿って湾曲している。
【００３５】
弾性部材１４０，１５０と本体基板１１０の下端部１１０ｂとの接合、および弾性部材１４０，１５０と係合板１２０，１３０の上端部との接合は、接着剤等を用いて強固に接合する。
また、弾性部材１４０と弾性部材１５０と間隔は、係合板１２０と係合板１３０の間の間隔（距離）を規定する。弾性部材１４０と弾性部材１５０と間隔は、駒２０の上縁部２０ａの厚みにほぼ等しい（詳細後記）。
【００３６】
<スピーカ２００>
スピーカ２００は、電気信号を前後方向に振動するボイスコイルと、ボイスコイルに直結された 振動板(いずれも図示省略)と、を備え、この振動板が振動することで音信号と等しい波形の音が空気中に放射される。振動板は、円形のコーン紙からなる。
本実施形態では、スピーカ２００の振動板である円形のコーン紙に、取付板１６０を接着剤により直付する。これにより、スピーカ２００の振動板（コーン紙）の振動は、取付板１６０を介して本体基板１１０に伝わる。
ここで、スピーカ２００から音響振動を取得する目的に鑑みると、振動板として強度を高めたスピーカ２００を用いることが好ましい。また一般に、振動の伝達特性は振動伝達の距離による影響を受けるので、スピーカ２００は、本体基板１１０の側端面１１０ｅ，１１０ｆに密着させることが好ましい。このため、スピーカ振動板が小径である場合には、取付板１６０は省略してもよい。
【００３７】
<音源装置３００>
音源装置３００は、スピーカ２００に音信号を出力するものであればどのような電子機器でもよい。音源装置３００は、バイオリンなどの弦楽器の音を音源として出力している。弦楽器の音を音源として出力した場合、実演奏に近く、リアリティ度の高い楽音を再生することができる。
【００３８】
以下、上述のように構成された弦楽器励振装置１００の作用効果について説明する。
<取付け前>
図３（ａ）に示すように、一例として、駒２０は、上部丸み形状の上縁部２０ａと、上縁部２０ａの上端に形成された弦溝２０ｂと、足部２０ｃと、足部２０ｃを形成する円形開口部２０ｄと、を備える。図４（ａ）に示すように、上縁部２０ａの厚みはｄ３、足部２０ｃの厚みはｄ４である。
図３（ａ）に示すように、弦楽器励振装置１００は、弾性部材１４０，１５０の間隔をｄ１、係合板１２０，１３０の間隔をｄ２とすると、弦楽器励振装置１００の駒２０への取付け前の距離は、ｄ１＝ｄ２である。また、駒２０の上縁部２０ａの厚みｄ３との関係で見ると、ｄ１＝ｄ２＜ｄ３である。ただし、ｄ１＝ｄ２＜ｄ３ではあるものの、ｄ２とｄ３の実寸法の差は、僅少である。
係合板１２０，１３０の下端部は、下方側に開放されている。係合板１２０，１３０の上端部は、弾性部材１４０，１５０を介して本体基板１１０の下端部１１０ｂに接合された構造となっているので、係合板１２０，１３０の下端部では、互いにある程度開閉が可能である。
【００３９】
<取付け時>
上述したように、弦楽器励振装置１００は、弾性部材１４０，１５０を介在させた片持ち構造により、係合板１２０，１３０の下端部を、弾性部材１４０，１５０の弾性力に抗して僅かに拡げることができる。
図３（ｂ）の矢印に示すように、係合板１２０（ここでは係合板１２０ｂ、以下同様。）の下端部と係合板１３０（ここでは係合板１３０ｂ、以下同様。）の下端部間に、駒２０の上縁部２０ａを挟んで押し込む。
図４（ｂ）に示すように、駒２０の厚さは、上縁部２０ａから足部２０ｃに向かって徐々に厚くなっているので、係合板１２０ｂの下端部と係合板１３０ｂの下端部間に、駒２０の上縁部２０ａが押し込まれると、係合板１２０ｂと係合板１３０ｂの下端部は、駒２０の上縁部２０ａの形状に沿って拡げられる。これにより、駒２０の上縁部２０ａを係合板１２０ｂ，１３０ｂに少なくとも一部を面接触として当接させることができる。
なお、説明の便宜上、係合板１２０，１３０は、駒２０の上縁部２０ａの稜線から３ｍｍ幅の帯状領域としているが、一部が面接触となるものであればよい。
【００４０】
また、図４（ｃ）に示すように、係合板１２０，１３０の下端部の端部に面取りを形成してもよい。面取りを形成すると、駒２０の上縁部２０ａが、係合板１２０，１３０の下端部間により導かれ易く、取付けが容易となる。
【００４１】
また、図５に示すように、駒２０は、一方の面が平面であり、対向する他方の面が凸状に形成されている。係合板１２０の下端部と係合板１３０の下端部間に、駒２０の上縁部２０ａが押し込まれると、駒２０の凸状に形成された面が、係合板１２０の下端部をこの形状で押し広げる。これにより、係合板１２０の下端部は、駒２０の凸状面形状に合わせて凸状に撓って、係合板１２０，１３０に駒２０の上縁部２０ａの少なくとも一部または全部と面接触するように当接させることができる。ここで、係合板１２０，１３０は、駒２０の上縁部２０ａに隙間なく当接させることがより好ましい。
【００４２】
<取付け後>
駒２０の上縁部２０ａは、係合板１２０の下端部と係合板１３０の下端部の間を押し広げながら、弾性部材１４０，１５０の近傍まで進んでそれ以上の進入が困難となる。
駒２０の上縁部２０ａが、弾性部材１４０，１５０の近傍に達したところが、駒２０に対する弦楽器励振装置１００の駒２０への取付位置となる。駒２０の上端面は上に凸で湾曲しており、弾性部材１４０，１５０は、駒２０の上端面に対向する面が、駒２０の上端面の湾曲した形状に沿って形成されている。このため、駒２０の上縁部２０ａは、弾性部材１４０，１５０まで達することができる。
【００４３】
係合板１２０，１３０と駒２０の上縁部２０ａ（図３のハッチング部参照）との接触は、面接触となる。以下、具体的に説明する。
駒２０の上縁部２０ａは、各一対の係合板１２０ａと１３０ａ，１２０ｂと１３０ｂ，１２０ｃと１３０ｃ，１２０ｄと１３０ｄ，１２０ｅと１３０ｅが、弾性部材１４０，１５０の弾性力を受けて駒２０の上縁部２０ａを挟み込む。
係合板１２０，１３０は、駒２０の上縁部２０ａを面接触で挟み込むことが好ましく、少なくとも駒２０の上縁部２０ａの５％以上の部分において面接触となっていることが好ましい。また、上記帯状の面接触は、少なくとも一部が面接触であればよい。
【００４４】
駒２０の上縁部２０ａには、弾性部材１４０，１５０によって、押し広げられた係合板１２０，１３０の下端部が戻る方向の付勢力がかかるので、係合板１２０，１３０が上縁部２０ａに押し付けられるようになり、係合板１２０，１３０により駒２０の上縁部２０ａが挟み込まれる。
【００４５】
<効果>
（１）
本発明者の試作実験によれば、本体基板１１０の側端面１１０ｅ，１１０ｆ（図３参照）にスピーカ２００からの音振動を伝えると、弦楽器を高音質で鳴らすことができることが確かめられた。その理由は明確ではないが、下記を考察した。すなわち、側端面１１０ｅ，１１０ｆ（図３参照）の方向から伝えられた音振動は、係合板１２０，１３０および駒２０の上縁部２０ａを通して、バイオリン演奏時に弦１５が駒２０を加振する挙動と類似した作用を駒２０に与え、弦楽器の表板２に伝達される。この際、上記側面方向から伝えられた音振動は、本体基板１１０の上部に装着されたスピーカで上下方向に振動が伝わるよりも、弦楽器の表板２に沿って振動させる周波数成分が適度なのではないかというものである。例えば、非特許文献２に記載されたような放射指向性のパターンのように、ある周波数の指向性を高めることができると推察している。
【００４６】
（２）
振動の伝達の観点からみると、弦楽器励振装置１００が駒２０の上縁部２０ａの所定場所に適度な力で少なくとも一部が面接触となるように当接していることが好ましい。具体的には、係合板１２０ａ，１２０ｂ，１２０ｃ，１２０ｄ，１２０ｅと係合板１３０ａ，１３０ｂ，１３０ｃ，１３０ｄ，１３０ｅとが、それぞれ一対となって、駒２０の上縁部２０ａに、独立して面接触で接触している。これにより、駒２０の上縁部２０ａの該当箇所を確実に面接触させることができる。
同様の理由で、係合板１２０と係合板１３０は、駒２０の上縁部２０ａを挟む力を弱くしても安定に加振することができるようになる。また、弱音器効果も大幅に減ったことで、駒２０の上縁部２０ａの高さ方向の幅の上限を、稜線から約５ｍｍまで拡げることができる。
したがって、上記（１）の効果の実効を図ることができる。音の振動伝達の追従性（振動の各成分の周波数特性）を高め、音の振動を安定、かつ、十分に伝えることができる。
【００４７】
（３）
また、本実施形態では、係合板１２０，１３０に、駒２０の材料と同じ振動を伝えやすい材料（例えば楓材）を用いている。このため、係合板１２０，１３０が駒２０の上縁部２０ａに当接した状態では、係合板１２０，１３０と駒２０の上縁部２０ａとが、いわば一つの部材として一体となって機能する。さらに言えば、弦楽器励振装置１００は、振動の伝達に関して、駒２０の上縁部２０ａが、係合板１２０，１３０まで延びたような特性となる。このため、振動伝達の特性が一様となり自然な音響を得ることができる。
なお、弦楽器励振装置１００は、駒２０の上縁部２０ａに取り付けられたときに、バイオリン１の弦１５は、各係合板１２０ａ，１２０ｂ，１２０ｃ，１２０ｄ，１２０ｅと係合板１３０ａ，１３０ｂ，１３０ｃ，１３０ｄ，１３０ｅとの間に位置し、弦１５に接触することはない。
【００４８】
一方で、弦楽器励振装置１００は、振動を減衰させる弾性部材１４０，１５０を有している。しかし、この弾性部材１４０，１５０は、本体基板１１０の下端部１１０ｂと係合板１２０，１３０の上端部とで挟まれていて、振動の伝わる側面方向には配置されていない。このため、弾性部材１２０によって振動が減衰（ミュート効果）するおそれはない。
なお、スピーカ２００本体は、軽量であるためをスピーカ２００本体を支持する支持部材（図示省略）は特に設置しなくてもよい。
【００４９】
以上説明したように、本実施形態の弦楽器励振装置１００の構成により、スピーカ２００からの音響振動を、本体基板１１０の側端面１１０ｅ，１１０ｆから係合板１２０，１３０を介してバイオリン１の駒２０に良好に伝達することができ、バイオリン１を高音質で鳴らすことができる。弦楽器励振装置１００は、バイオリン１そのものを響鳴させている。そのため、弦楽器励振装置１００は、バイオリン１の生演奏と同じように臨場感あふれる高音質の楽音を再生することができる。
【００５０】
事前に行った駒２０上の励振場所とバイオリン再生音の試聴実験結果によると、駒２０の上縁部２０ａのうち、(1)左端、(2)Ｇ線とＤ線の中間、(3)Ｄ線とＡ線の中間、(4)Ａ線とＥ線の中間、(5)右端、の各部毎に、試聴実験用の係合板１２０，１３０をそれぞれ係合させてみた。そして、前記した(1)〜(5)までの位置における演奏者が演奏した音を記録し、周波数分析装置によって分析した。その結果、バスバー側の上記(1)は最も低音が豊かな音、魂柱側の上記(5)は低音が乏しい固い音、他の上記(2)−(4)は中間的な音質となった。
上述したように、本弦楽器励振装置１００は、係合板１２０，１３０が、駒２０の上縁部２０ａに沿って、弦１５用の逃げ開口部１１１ｅ，１１２ｅを除いて帯状の面接触で均一に当接しているので、低音域から中音域、中音域から高音域までバランスの取れた音響が得られ、バイオリン固有の豊かで美しい響きを再生することができ、バイオリン生演奏と遜色ない、優れた臨場感を実現することができた。
【００５１】
［変形例］
次に、本発明の実施形態の変形例に係る弦楽器励振装置の構成を説明する。
<変形例１>
図示は省略するが、変形例１の弦楽器励振装置１００としては、図１および図２に示す一方のスピーカ２００（例えばスピーカ２００Ｂ）とその取付板１６０を取り外した構成としてもよい。また、図１に示す位相反転回路３５０も取り除いている。
変形例１では、一方のスピーカ２００の側端面１１０ｅ方向から音振動を伝えるので、本実施形態と同様の効果、すなわち、バイオリン１の生演奏と同じように臨場感あふれる高音質の楽音を再生することができる。
変形例１は、図２の構成に比べて部品点数を減らすことができ、低コスト化を図ることができる。
【００５２】
<変形例２>
図６は、本実施形態に係る弦楽器励振装置１００Ａの変形例２の構成を示す斜視図であり、（ａ）はその斜め上方向から見た斜視図、（ｂ）はその正面図である。
図６に示すように、弦楽器励振装置１００Ａは、本体基板１１０Ａを備え、本体基板１１０Ａは、駒２０（図３参照）の両側の端面（側端）の少なくとも高さ方向における半分以上を覆う部分まで延びる延出部１１０ｇ，１１０ｆを有する。延出部１１０ｇ，１１０ｆの端面が、側端面１１０ｉ，１１０ｊとなる。
延出部１１０ｇ，１１０ｆは、駒２０の両側端の高さ方向における少なくとも一部を覆うように形成されている。具体的には、図６（ｂ）に示すように、延出部１１０ｇ，１１０ｆは、駒２０の開口部２０ｇで端面が区切られる部分２０ｇ１までの長さ、あるいは開口部２０ｇで区切られる部分２０ｇ１を越える位置まで長さを有していてもよい。そして、延出部１１０ｇ，１１０ｆは、駒２０の側端から離間した位置に形成されている。また、延出部１１０ｇ，１１０ｆは、駒２０の板厚よりも幅が広く形成されている。
図６（ｂ）に示すように、延出部１１０ｇ，１１０ｆの端面である側端面１１０ｉ，１１０ｊには、取付板１６０を介してスピーカ２００Ａ，２００Ｂの振動板が取り付けられる。
【００５３】
変形例２の構成によれば、スピーカ２００Ａ，２００Ｂからの音振動は、延出部１１０ｇ，１１０ｆの側端面１１０ｉ，１１０ｊに伝えられ、延出部１１０ｇ，１１０ｆを通して係合板１２０，１３０および駒２０の上縁部２０ａに伝えられる。さらに、延出部１１０ｇ，１１０ｆを通して、側面方向から伝えられた音振動は、延出部１１０ｇ，１１０ｆを設けない図２の構成よりも、振動モードがより増え、その分の周波数成分が重畳される。その結果、バイオリン演奏時に弦１５が駒２０を加振する挙動により一層類似した作用を駒２０に与えることができる。後記する試聴実験の結果でも変形例２の有効性が確かめられた。
【００５４】
また、延出部１１０ｇ，１１０ｆの側端面１１０ｉ，１１０ｊは、駒２０の高さ方向に細長い面を形成している。取付板１６０を任意の位置に取り付けることができる。このため、スピーカ２００Ａ，２００Ｂの振動板を、側端面１１０ｉ，１１０ｊに取り付ける際の取付位置に自由度があり、取付位置を調整することで、ある周波数の指向性を高めたり減じたりすることができる。取付位置を調整することで、バイオリン演奏時に弦１５が駒２０を加振する挙動により一層類似した作用を駒２０に与えることができる。
【００５５】
また、延出部１１０ｇ，１１０ｆが、駒２０の上縁部２０ａの左右両端を覆うので、弦楽器励振装置１００Ａを駒２０の上縁部２０ａに、より安定して取り付けることができる。また、弦楽器励振装置１００Ａを長時間使用しても、良好な取付け状態を維持することができる。
【００５６】
<変形例３>
図７は、本実施形態に係る弦楽器励振装置１００Ｂの変形例３の構成を示す斜視図である。
図７に示すように、弦楽器励振装置１００Ｂは、駒２０の上縁部２０ａ（図３参照）に沿って湾曲した本体基板４１０を備える。
本体基板４１０は、図２に示す本体基板１１０と外形寸法と形状は同じで、構成が異なる。
つまり、本体基板４１０は、第１基板４１１と、第１基板４１１と対向する第２基板４１２と、第１基板４１１と第２基板４１２とを接合する第２弾性部材４１３と、を有する３層構造である。
第１基板４１１は、上に凸に湾曲した上端部４１１と、下に凹に湾曲した下端部（図示省略）と、駒２０の上縁部２０ａの表面と平行に形成された表面部および裏面部（図示省略）と、駒２０の上縁部２０ａの表面と直交する端部に形成された側端面４１１ｅ，４１１ｆと、を有する。
第２基板４１２は、上に凸に湾曲した上端部４１２と、下に凹に湾曲した下端部（図示省略）と、駒２０の上縁部２０ａの表面と平行に形成された表面部（図示省略）および裏面部側端面４１２ｄと、駒２０の上縁部２０ａの表面と直交する端部に形成された側端面４１２ｅ，４１２ｆと、を有する。
第１基板４１１の側端面４１１ｅには、取付板１６０が取り付けられ、第２基板４１２の側端面４１２ｆには、取付板１６０が取り付けられる。このため、第１基板４１１の側端面４１１ｅへはスピーカ２００Ａ（図示省略）の振動が伝えられる一方、第２基板４１２の側端面４１２ｅへはスピーカ２００Ｂ（図示省略）の振動が伝えられる。
【００５７】
スピーカ２００Ａ（図示省略）の振動は、まず第１基板４１１に伝達され、第１基板４１１の下端部（図示省略）に接合された弾性部材１４０および係合板１２０介して駒２０の上縁部２０ａ（図３参照）に伝達される。また、第１基板４１１に伝達された振動の一部は、弾性部材４１３を介して第２基板４１２にも伝達される。
スピーカ２００Ｂ（図示省略）の振動は、まず第２基板４１１に伝達され、第１基板４１１の下端部（図示省略）に接合された弾性部材１４０および係合板１２０介して駒２０の上縁部２０ａ（図３参照）に伝達される。また、第２基板４１２に伝達された振動の一部は、弾性部材４１３を介して第２基板４１１にも伝達される。
したがって、スピーカ２００Ａ，２００Ｂから駒２０の上縁部２０ａに伝わる音振動は、図２乃至図５に示す弦楽器励振装置１００に比べて多様・複雑なものとなる。
【００５８】
変形例３によれば、一方のスピーカ２００Ａが第１基板４１１の側端面４１１ｅ方向から音振動を伝えるとともに、他方のスピーカ２００Ｂの第２基板４１２の側端面４１２ｆ方向から音振動を伝える。これにより、非特許文献２に記載されたような放射指向性のパターンのように、ある周波数の指向性をより一層高めることができると推察される。
【００５９】
上述した、各弦についての試聴実験と同様の実験（演奏者による演奏音の記録と、記録した音の周波数分析装置による分析）を行った。この実験の結果、変形例３の弦楽器励振装置１００Ｂは、低音域から中音域、中音域から高音域までバランスの取れた音響が得られることが分かった。
【００６０】
<変形例４>
図８は、本実施形態に係る弦楽器励振装置１００Ｃの変形例４の構成を示す斜視図である。
変形例４の弦楽器励振装置１００Ｃは、変形例２の弦楽器励振装置１００Ａの延出部１１０ｇ，１１０ｆと、変形例３の弦楽器励振装置１００Ｂの３層構造の本体基板４１０とを組み合わせたものである。
図８に示すように、弦楽器励振装置１００Ｃは、本体基板５１０は、第１基板５１１と、第１基板５１１と対向する第２基板５１２と、第１基板５１１と第２基板５１２とを接合する第２弾性部材４１３と、を有する３層構造である。
第１基板５１１は、駒２０（図３参照）の両側の幅（側部）の部分まで延びる延出部５１１ｇと、延出部５１１ｇの端部に形成された側端面５１１ｅと、を有する。
第２基板５１２は、駒２０（図３参照）の両側の幅（側部）の部分まで延びる延出部５１２ｈ、延出部５１２ｈの端部に形成された側端面５１２ｆと、を有する。
延出部５１１ｇ，５１２ｈは、駒２０の両側端の高さ方向における少なくとも一部を覆うように形成されている。
変形例４によれば、変形例２と３の効果を併せて有することができる。
なお、図７および図８では、側端面４１１ｅ，４１２ｅに橋渡しされるように、あるいは側端面４１１ｆ，４１２ｆに橋渡しされるように側板を取り付けて、その側板に取付板１６１を設けるようにしてもよい。
【００６１】
（第２の実施形態）
第２の実施形態に係る弦楽器励振装置１００および支持部材６００を図９および図１０を参照して説明する。
本実施形態は、図１乃至図６に示す弦楽器励振装置１００に支持部材６００を取り付けた例であるが、変形例１〜４の弦楽器励振装置１００Ａ〜Ｃにも同様に適用できる。
【００６２】
図９に示すように、弦楽器励振装置１００は、本体基板１１０に取り付けられ、駒２０に係合する支持部材６００を備える。
支持部材６００は、弦楽器励振装置１００の本体基板１１０の表面部１１０ｃまたは裏面部１１０ｄ（図面では裏面部）に取り付ける取付部６１０ａと、取付部６１０ａから下方（弦楽器の表板方向）に垂下して駒２０の高さ方向に形成したアーム６１０ｂと、アーム６１０ｂの端部から駒２０の平坦底部２０ｅに係合するように形成したフック６１０ｃと、フック６１０ｃを駒２０の平坦底部２０ｅから着脱する操作を行う摘み部６１０ｄと、を有する。
取付部６１０ａには、可撓性を有する弾性部材６２０が接合される。また、弾性部材６２０の他方の面は、図１０（ｂ）示すように、弦楽器励振装置１００の本体基板１１０の裏面部１１０ｄに接着剤等により強固に接合される。
フック６１０ｃは、駒２０の板厚方向に、平坦底部２０ｅ（図１０参照）の板厚を越えるように形成されている。そして、摘み部６１０ｄは、フック６１０ｃとは反対方向に延出して形成されフック６１０ｃの延長線上に形成されている。
【００６３】
図１０は、弦楽器励振装置１００を駒２０に取り付けて支持部材６００で支持した状態を示す図であり、図１０（ａ）はその正面図、図１０（ｂ）は図１０（ａ）の側面図である。なお、弦１５は、説明を分かりやすくするため、図示を省略している。
図１０に示すように、弦楽器励振装置１００を駒２０の上縁部２０ａに取付け後、アーム６１０ｂのフック６１０ｃを、弾性部材６２０の弾性変形に抗して弦楽器の表板２方向に引っ張り、さらにフック６１０ｃを、駒２０の平坦底部ｅに引っかけて係止する。図１０（ｂ）に示すように、弾性部材６２０はアーム６１０ｂを上方へ引っ張り上げようとするがフック６１０ｃによって係止される。フック６１０ｃの長さは、駒２０の平坦底部ｅの厚さに揃えられており、フック６１０ｃが平坦底部ｅに一旦係止すると、支持部材６００が前後にガタつくことはない。
支持部材６００は、弾性部材６２０により係止状態が保たれるため、弦楽器励振装置１００をより安定的に駒２０に取り付けた状態を維持できる。
【００６４】
このように、本実施形態の弦楽器励振装置１００は、支持部材６００を備えているので、第１の実施の形態と同様の効果を得ることができることに加え、弦楽器励振装置１００を駒２０に取り付けた後、長時間使用したとしても、取付け位置がずれることがない。このため、良好な取付け状態を維持することができる。
【００６５】
また、本発明は、上記各実施形態や変形例に記載した構成に限定されるものではなく、特許請求の範囲に記載した本発明の要旨を逸脱しない限りにおいて、適宜その構成を変更することができる。
例えば、上記各実施形態では、係合板１２０ａ，１２０ｂ，１２０ｃ，１２０ｄ，１２０ｅと係合板１３０ａ，１３０ｂ，１３０ｃ，１３０ｄ，１３０ｅは、４本の弦１５ｅ，１５ａ，１５ｄ，１５ｇを跨ぐように配置しているが、少なくとも１本の弦を跨ぐものであればよい。
なお、駒２０の上縁部２０ａに対して、例えば面接触部が５％以上、好ましくは１０％以上、より好ましくは３０％以上、更に好ましくは５０％以上の合計となるように構成することが好ましい。少なくとも一部が面接触として、点接触や線接触と併用されることとなっても構わない。
【００６６】
上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【００６７】
さらに、各実施形態で説明した構成では、一対の係合板は、その対向する両方が弾性部材を介して本体基板の下端部に取り付けられる例として説明したが、一対の係合板の少なくとも一方が弾性部材を介して下端部に取り付けられていればよい。なお、弾性部材がない状態で下端部に取り付けられた係合板は、弾性部材がない分、短い状態で下端部に取り付けられることや、あるいは、一対の係合板の高さが揃わなくても構わない。
【００６８】
また、本実施の形態では弦楽器励振装置および弦楽器励振システムという名称を用いたが、これは説明の便宜上であり、弦楽器振動装置、弦楽器再生システム等であってもよい。
【符号の説明】
【００６９】
１  バイオリン（弦楽器）
２  表板
１５  弦
２０  駒
２０ａ  駒の上縁部
２０ｂ  弦溝
２０ｃ  足部
２０ｄ  円形開口部
２０ｅ  平坦底部
２０ｇ  開口部
１００，１００Ａ，１００Ｂ，１００Ｃ  弦楽器励振装置
１１０，５１０  本体基板
１２０，１２０ａ，１２０ｂ，１２０ｃ，１２０ｄ，１２０ｅ，１３０，１３０ａ，１３０ｂ，１３０ｃ，１３０ｄ，１３０ｅ  一対の係合板、
１４０，１５０  弾性部材
１１０ｅ，１１０ｆ，１１０ｉ，１１０ｊ，４１１ｅ，４１１ｆ，５１１ｅ，５１２ｆ  側端面
１１０ｇ，１１０ｆ  延出部
１６０，１６１  取付板
２００Ｂ００Ａ，２００Ｂ  スピーカ
３００  音源装置
３５０  位相反転回路
５１１  第１基板
５１２  第２基板
４１３  第２弾性部材
６００  支持部材
６１０ａ  取付部
６１０ｂ  アーム
６１０ｃ  フック
６１０ｄ  摘み部
Ｓ  弦楽器励振システム
【図１】
2019174500.tif 000003
【図２】
2019174500.tif 000004
【図３】
2019174500.tif 000005
【図４】
2019174500.tif 000006
【図５】
2019174500.tif 000007
【図６】
2019174500.tif 000008
【図７】
2019174500.tif 000009
【図８】
2019174500.tif 000010
【図９】
2019174500.tif 000011
【図１０】
2019174500.tif 000012